(57)【特許請求の範囲】
【請求項１】
互いに電気的に接続された複数のソーラーセルアレイを備えたソーラーパネルの修理方法において、
交換用ソーラーセルアレイ（８）を、前記ソーラーパネル（１）の故障したソーラーセルアレイ（２）の上に接着して、前記ソーラーパネル（１）に電気的に組み込むことを特徴とする修理方法。
【請求項２】
前記交換用ソーラーセルアレイ（８）が、標準的なｎコネクタ（５）及びｐコネクタ（６）を備えており、それらｎコネクタ及びｐコネクタを、隣接する正常なソーラーセルアレイ（３、４）の切断した夫々のコネクタに、溶着して接続することを特徴とする請求項１記載の方法。
【請求項３】
前記交換用ソーラーセルアレイ（８）を接着するために、シリコーン接着剤を用いることを特徴とする請求項１又は２記載の方法。
【請求項４】
故障したソーラーセルアレイ（２）に隣接するソーラーセルアレイ（３、４）を防護するために、防護用カバーフォイルを用いることを特徴とする請求項１乃至３の何れか１項記載の方法。
【発明の詳細な説明】
【０００１】
【発明の属する技術分野】
本発明は、請求項１の前提部分に記載した種類のソーラーパネルの修理方法に関する。
【０００２】
【従来の技術】
１枚のソーラーパネル（太陽電池パネル）に装備されている複数のソーラーセルアレイのうちの１つが故障したときに、そのソーラーパネルを修理するための方法として、従来一般的に、故障したソーラーセルアレイを完全に取り除き、新たなソーラーセルアレイに交換するという方法が用いられていた。この種の修理方法の一例は、例えばドイツ特許公開ＤＥ−１９２７３８７号公報に開示されている。また、ドイツ特許ＤＥ−２１１３４１０号公報には、修理を容易にしたソーラーセル構造が記載されており、その構造は、故障したソーラーセルを、ソーラーセルモジュールないしソーラーセルストリングから容易に取り除けるようにしたものである。また、ドイツ特許公告ＤＥ−１９５３９６９９−Ｃ２号公報には、積層構造のソーラーモジュールを、故障が生じた後にも使用できるようにする方法が記載されており、その方法は、積層構造のソーラーモジュールから、故障したソーラーセルだけを剥がし取って、残りの部分を分離するというものである。しかしながら、これら従来の方法はいずれも、ソーラーセルアレイそれ自体に手を加えるという、面倒な作業を余儀なくされる。
【０００３】
例えば、従来の修理方法の１つに、以下のステップを必要とするものがある。その修理方法では、先ず、ソーラーセルアレイの上面全体を覆っているカバーガラスのうち、そのソーラーセルアレイの上面に形成されている「ｎコネクタ」の溶着パッド部の部分のカバーガラスを除去し、それによって露出した金属板を、その溶着パッド部の直近箇所で切断して、慎重に上方へ起こすように屈曲させる。続いて、故障したソーラーセルアレイをソーラーパネルから取り除くが、このとき、そのソーラーセルアレイの「ｐコネクタ」を、ソーラーパネル上に残すようにする。続いて、特別の形態の修理用コネクタを備えた新たなソーラーセルアレイをその修理箇所に配設し、この新たなソーラーセルアレイの上面のｎコネクタ及びｐコネクタを、隣接するソーラーセルアレイに溶着して接続する。この修理方法では、故障したソーラーセルアレイをソーラーパネルから取り除くという面倒な作業を必要とする上に、それを取り除く際に隣接するソーラーセルアレイを損傷してしまうおそれもある。更に、この修理方法では、特別の形態の交換用コネクタを必要とする上に、新たな絶縁フォイルを接着する必要もある。
【０００４】
【発明が解決しようとする課題】
本発明の目的は、修理が容易に行え、また、修理に際してソーラーパネルを損傷するおそれのない、ソーラーセルアレイが故障したソーラーパネルを修理するための修理方法を提供することにある。
【０００５】
【課題を解決するための手段】
上記目的は、本発明によれば、請求項１に記載した特徴を備えた方法によって達成される。尚、従属請求項は、本発明の実施の形態にかかる特徴を記載したものである。
【０００６】
本発明にかかる方法によれば、故障したソーラーセルアレイをソーラーパネルから取り除くことなく、故障したソーラーセルアレイの上に交換用ソーラーセルアレイを接着し、そして、その交換用ソーラーセルアレイを、切断された既存のコネクタに接続することで、ソーラーパネルに電気的に組み込むようにしている。
【０００７】
本発明が提案する課題の解決法によれば、部品ないし材料を節約することができる。また、更に大きな利点として、修理時間を節約できるということがあり、これが可能であるのは、故障したソーラーセルアレイを取り除くという面倒な作業を行わず、単に、コネクタを露出させる作業を行うだけで済むからである。
【０００８】
本発明の実施の形態として、交換用ソーラーセルアレイが、標準的なｎコネクタ及びｐコネクタを備えており、それらｎコネクタ及びｐコネクタを、隣接する正常なソーラーセルアレイの切断した夫々のコネクタに、溶着して接続するようにしてもよい。
【０００９】
また特に、交換用ソーラーセルアレイを接着するために、シリコーン接着剤を用いるようにしてもよい。
【００１０】
更に、本発明にかかる方法を実施するために、防護用カバーフォイルを用いるようにしてもよい。それには、例えば、予めソーラーパネルをカプトンフォイルで覆っておき、そのカプトンフォイルの、故障したソーラーセルアレイを覆っている部分を切り抜いて、開口部を形成するようにする。そして、そのカプトンフォイルの開口部の縁部を、好ましくは粘着テープを用いて、隣接する正常なソーラーセルアレイに貼着し、それによって、修理作業中に、正常なソーラーセルアレイがカプトンフォイルによって防護されているようにすればよい。かかる作業ステップは、隣接するソーラーセルアレイを確実に防護できるようにしたい場合に、実行するとよい。
【００１１】
【発明の実施の形態】
これより添付図面を参照しつつ、本発明の具体的な実施の形態について、詳細に説明して行く。
【００１２】
図１のソーラーパネル１の部分図には、故障したソーラーセルアレイ２を示すと共に、この故障したソーラーセルアレイ２が、隣接する２つの正常なソーラーセルアレイ３と４との間に電気的に組み込まれている状態を示した。それらソーラーアレイは、ｎコネクタ５及びｐコネクタ６を介して、公知の方式で互いに電気的に接続されており、その接続形態は直列接続である。また、ｎコネクタ５及びｐコネクタ６は、１箇所の溶着パッド部に、複数本のコネクタをまとめて溶着するようにしたものであり、特に図示例では、１箇所の溶着パッド部に４本のｎ又はｐコネクタが溶着されている。また、図１に示した具体例のソーラーセルアレイでは、ｎコネクタの溶着パッド部と、ｐコネクタの溶着パッド部とが、１つのソーラーセルアレイに３箇所ずつ備えられている。
【００１３】
本発明にかかる方法を実施するために、予めソーラーパネル１をカプトンフォイルで覆っておき、そのカプトンフォイルの、故障したソーラーセルアレイ２を覆っている部分を切り抜いて、開口部を形成するようにしている。そして、そのカプトンフォイルの開口部の縁部を、粘着テープを用いて、隣接する正常なソーラーセルアレイに貼着するようにしている。
【００１４】
これに続いて、故障したソーラーセルアレイ２に接続しているｎコネクタ及びｐコネクタを露出させる。そのため、故障したソーラーセルアレイ２の上面を覆っているカバーガラス７のうち、ｎコネクタ５の溶着パッド部を覆っている部分を除去し、また、ｐコネクタ６の溶着パッド部に関しては、故障したソーラーセルアレイ２を、カバーガラス７からｐコネクタ６の溶着パッド部に至るまで部分的に除去する。
【００１５】
続いて、ソーラーセルアレイ２の露出させたｎコネクタ５及びｐコネクタ６の金属板を切断して、ソーラーセルアレイ２に隣接する正常なソーラーセルアレイ３側及び４側の夫々の切断されたｐコネクタ６とｎコネクタ５とを、上方へ起こすように屈曲させる。
【００１６】
以上のようにして修理箇所の準備を整えたならば、続くステップにおいて、交換用ソーラーセルアレイ８を、隣接する正常なソーラーセルアレイ３ないし４の上面に、粘着テープを用いて、一時的に固定し、このとき、図２に示すように、交換用ソーラーセルアレイ８のカバーガラス７と、隣接する正常なソーラーセルアレイ３ないし４のカバーガラス７とが合わさるような向きで、交換用ソーラーセルアレイ８を載置する。
【００１７】
交換用ソーラーセルアレイ８は、標準的なｎコネクタ及びｐコネクタを備えている。この交換用ソーラーセルアレイ８のｎコネクタ５は、正常なソーラーセルアレイ（図２の具体例では、ソーラーセルアレイ３）のｐコネクタに、溶着部９で溶着されて接続される。
【００１８】
続いて、交換用ソーラーセルアレイ８のｐ側の面と、故障したソーラーセルアレイ２のカバーガラス７の表面とに、プライマーを塗布し、その塗布したプライマーが乾燥したならば、故障したソーラーセルアレイ２のプライマーを塗布した面に接着剤を塗布する。この接着剤としては、例えばシリコーン接着剤を使用することができ、好適なシリコーン接着剤としては、シリコーンゴムがある。シリコーンゴムの具体例としては、Ｗａｃｋｅｒ社の製品「ＲＴＶ−Ｓ６９１」がある。
【００１９】
図３は、以上に続く、この修理方法の最終段階を示した図である。交換用ソーラーセルアレイ８の上下をひっくり返して、そのｐ側の面を、故障したソーラーセルアレイ２の上面に揃えるように合わせて載置する。そして、接着剤が硬化したならば、交換用ソーラーセルアレイ８のｐコネクタ６を、他方の正常なソーラーセルアレイ４のｎコネクタに、溶着部１０で溶着して接続する。
【００２０】
【発明の効果】
ソーラーパネルの修理に際して、故障したソーラーセルアレイをソーラーパネルから除去するという面倒な作業を行うことなく、容易に行うことができる。
【図面の簡単な説明】
【図１】ソーラーセルアレイの１つが故障したソーラーパネルの部分図である。
【図２】交換用ソーラーセルアレイがプライマーを塗布する準備ができた状態となった図１のソーラーパネルの部分図である。
【図３】交換用ソーラーセルアレイの取付が完了した図１のソーラーパネルの部分図である。
【符号の説明】
１  ソーラーパネル
２  故障したソーラーセルアレイ
３、４  正常なソーラーセルアレイ
５  ｎコネクタ
６  ｐコネクタ
８  交換用ソーラーセルアレイ
【図１】
0003782986.tif 000002
【図２】
0003782986.tif 000003
【図３】
0003782986.tif 000004